(57)【要約】【課題】  加速度センサーを備えた移動通信端末装置においても、誤動作せず、ポケットやカバンから取り出すことなく着信状態を制御できる移動通信端末装置を提供することを目的とする。【解決手段】  折畳み式の移動通信端末装置１０１は、表示側筐体部５１の外側にある表示側リアケース６に加速度センサー２を取り付け、閉じた状態で、表示側リアケース６が、操作側筐体部５２の外側となる操作側リアケース１０と一部が直接、接するように設けられ、外部から加わった振動または衝撃等は、表示側リアケース６と操作側リアケース１０の２部品でのみ加速度センサー２に伝達され、加速度センサー２は、振動または衝撃等により発生した加速度を効率よく検出できる。【選択図】        図４
2008124876.tif 000002
【特許請求の範囲】
【請求項１】
第一の筐体と、
この第一の筐体と少なくとも一部が当接して並設された第二の筐体と、
前記第一の筐体と前記第二の筐体とを開閉可能に連結する連結部と、
前記第一の筐体に設けられた加速度センサーとを備えた移動通信端末装置。
【請求項２】
第一の筐体が、第一のケースと第二のケースとを嵌合してなり、第二の筐体が、第三のケースと第四のケースとを嵌合してなり、前記第一の筐体および前記第二の筐体を閉じた状態で、前記第一の筐体の前記第二のケースと前記第二の筐体の前記第四のケースとが重ねて並設され、前記第一の筐体の前記第一のケースと前記第二の筐体の前記第三のケースの少なくとも一部が接して設けられていることを特徴とする請求項１に記載の移動通信端末装置。
【請求項３】
加速度センサーが、第一の筐体の第一のケースの内壁に付着していることを特徴とする請求項２に記載の移動通信端末装置。
【請求項４】
更に、加速度センサーからの所定の出力により着信信号を制御する制御部とを備えた請求項１乃至請求項３のいずれかに記載の移動通信端末装置。
【発明の詳細な説明】
【技術分野】
【０００１】
本発明は、携帯電話機等の移動通信端末装置に関し、特に操作性に優れた移動通信端末装置に関するものである。
【背景技術】
【０００２】
携帯電話機や通信機能を有するＰＤＡ等の移動通信端末装置は、移動時にカバンやポケットの中に所持し、着信報知のための呼び出し音が発音又は、バイブレーターが振動することでユーザーに着信状態を知らせる。通勤電車等の混雑した電車内や会議の場などで着信した場合には、ユーザーは即座に着信状態を停止させたいが、移動通信端末装置の呼び出し音又はバイブレーターの振動を停止させるには、手でカバンやポケットの中の移動通信端末装置を探り、探り当てた移動通信端末装置の着信停止等のボタンを押す必要があり、早急にその停止操作を行うことは困難であった。
【０００３】
従来の移動通信端末装置では、加速度センサーを備え、着信時にユーザーが移動通信端末装置本体を振ることにより発生する加速度を加速度センサーが検出すると、呼び出し音又はバイブレーターの振動等を停止させる方法がある（例えば、特許文献１参照）。
【０００４】
【特許文献１】特開２００２−３５４０９７号公報（００２４〜００４６段、図１）
【発明の開示】
【発明が解決しようとする課題】
【０００５】
しかしながら、上記従来の移動通信端末装置では、折畳み式の筐体で、基板上に加速度センサーを実装しており、折畳まれた状態において外部から受けた振動または衝撃等は、外装リア側ケースから外装フロント側ケースに伝わり、内部フレームを経由して加速度センサーに伝わるというように多くの部品を経由しながら加速度センサーに伝わる。そのため、加速度センサーに伝わるまでに振動または衝撃等が減衰し、十分に伝わらないといった問題があった。
【０００６】
また、このような移動通信端末装置では、加速度センサーの検出レベルを低い値に設定しておくとユーザーが歩行しているような状態でも加速度センサーが加速度を検出して誤動作を生じたり、検出レベルを通常の振動または衝撃等では検知されないほどの高い値に設定した場合には、着信時にユーザーが移動通信端末装置本体を直接振って加速度を発生させるために、移動通信端末装置本体をポケットやカバンから取り出す必要があるといったように、加速度センサーから出力される検出信号の設定が困難であるといった問題があった。
【０００７】
本発明は、上記のような問題を解決するためになされたものであり、加速度センサーを備えた移動通信端末装置においても、誤動作せず、ポケットやカバンから取り出すことなく着信状態を制御できる移動通信端末装置を提供することを目的とする。
【課題を解決するための手段】
【０００８】
本発明に係る移動通信端末装置は、第一の筐体と、第一の筐体と少なくとも一部が当接して並設された第二の筐体と、第一の筐体と第二の筐体とを開閉可能に連結する連結部と、第一の筐体に設けられた加速度センサーとを備えたものである。
【発明の効果】
【０００９】
本発明によれば、第一の筐体と第二の筐体とが連結部により開閉可能に設けられた移動通信端末装置において、第一の筐体と第二の筐体とが閉じて重なった場合に、第一の筐体の外側にある第一のケースの内壁に加速度センサーが設けられ、第一のケースが第二の筐体の外側にある第三のケースと接するように設けられることにより、筐体に加わる外部からの振動または衝撃等が効率よく、加速度センサーに伝わるので、加速度センサーから出力される検出信号による制御が容易となり、誤動作を低減できると共に、加速度センサーによる操作性を向上できる。
【発明を実施するための最良の形態】
【００１０】
以下、本発明に係る移動通信端末装置の各種実施の形態について、図面に基づいて説明する。
図１は、本実施の形態における移動通信端末装置１０１の構成を示す斜視図であり、説明のため一部を透視図としている。図２は、移動通信端末装置１０１の側断面図を示し、図３は、背面図を示す。
【００１１】
図１において、移動通信端末装置１０１は、折畳み式であり、第一の筐体としての表示側筐体部５１、第二の筐体としての操作側筐体部５２、及び連結部としてのヒンジ機構１で構成されている。図２及び図３に示すように、表示側筐体部５１の内部には、加速度センサー２と基板３が配設され、操作側筐体部５２の内部には、鳴動部としてのスピーカー４と振動部としてのバイブレーター５が配設されている。
【００１２】
加速度センサー２は、３軸方向に反応するタイプを用い、移動通信端末装置１０１を閉じた状態で、表示側筐体部５１の外側となる第一のケースとしての表示側リアケース６の内壁面に取り付けられ、基板３上の接続端子７にリード線８等で接続されている。
【００１３】
図４は、図２のＩ−Ｉにおける矢視断面図である。図４において、表示側筐体部５１は、表示側リアケース６と第二のケースとしての表示側フロントケース９が嵌合し、操作側筐体部５２は、第三のケースとしての操作側リアケース１０と第二のケースとしての操作側フロントケース１１が嵌合して構成されている。
【００１４】
加速度センサー２が取り付けられた表示側リアケース６は、移動通信端末装置１０１を閉じた状態で、操作側筐体部５２の外側となる操作側リアケース１０と一部が直接、接するように設けられている。外部から加わった振動または衝撃等は、表示側リアケース６と操作側リアケース１０の２部品でのみ加速度センサー２に伝達され、加速度センサー２は、振動または衝撃等により発生した加速度を効率よく検出できる。
【００１５】
比較として、図５に、従来の移動通信端末装置２０１の断面図を示す。図５に示すように、加速度センサー２は表示側筐体部６１の内部フレーム１２に取り付けられた基板３に配設されており、表示側筐体部６１と操作側筐体部６２は操作側フロントケース１２に設けられた筐体間クッション１４を介して構成されている。
【００１６】
外部から加わった振動または衝撃等が、操作側リアケース１５に加わった場合、振動または衝撃等は、操作側リアケース１５から操作側フロントケース１３、筐体間クッション１４、表示側フロントケース１６、内部フレーム１２、基板３へと６部品で伝達された後、加速度センサー２に伝達され、振動または衝撃等の減衰が大きく、加速度を効率よく検出できない。
【００１７】
また、振動または衝撃等が、表示側リアケース１７に加わった場合であっても、振動または衝撃等は、表示側リアケース１７から表示側フロントケース１６、内部フレーム１２、基板３へと４部品で伝達され、減衰は大きい。
【００１８】
図６は、本実施の形態における移動通信端末装置１０１の回路構成の要部を示すブロック図である。図６に示すように、移動通信端末装置１０１の回路においては、無線信号の送受信を行う無線部１８と、無線部１８等の各種制御を行うための制御部１９が備えられている。
【００１９】
制御部１９は、無線部１８の他に、加速度センサー２、スピーカー４、バイブレーター５、マイク２０、レシーバー２１、及び操作部２２と接続されている。制御部１９は、無線部１８から無線信号を受け取ると、着信信号を出力し、スピーカー４から着信音を出力させ、マナーモード等に設定されている場合には、バイブレーター５を振動させる。
【００２０】
また、制御部１９は、加速度センサー２もしくは操作部２２からの応答信号により、スピーカー４からの着信音、バイブレーター５による振動を停止し、通話状態への移行指示の場合は無線信号をスピーカー４またはレシーバー２１に出力すると共に、マイク２０から入力された音声信号を無線部１８に出力し、着信状態の停止指示の場合は待ち受け状態へ戻す。
【００２１】
なお、制御部１９は、バイブレーター５の振動による加速度センサー２からの検出信号では動作しないように閾値が設定され、移動通信端末装置１０１に叩く等の振動または衝撃等が与えられて加速度センサー２で閾値以上の加速度が検出された場合にのみ動作する。
【００２２】
次に、図７のフローチャートに従い、本実施の形態における移動通信端末装置１０１の動作について説明する。まず、移動通信端末装置１０１は、電源（図示せず）をＯＮにして待ち受け状態にある（Ｓ００１）。
【００２３】
無線部１８が無線信号を着信すると（Ｓ００２）、制御部１９は、着信信号を出力し、スピーカー４から着信音を出力させる（Ｓ００３）。予めマナーモード等に設定されている場合には、バイブレーター５を振動させる。また、制御部１９は、着信音の出力と同時に、加速度センサー２により加速度の検知を開始させる（Ｓ００４）。
【００２４】
移動通信端末装置１０１に叩く等の振動または衝撃等が与えられ、加速度センサー２で閾値以上の加速度が検出されると（Ｓ００５）、制御部１９は、着信状態の停止指示と判断し、スピーカー４からの着信音の出力またはバイブレーター５の振動を停止し（Ｓ００６）、無線部１８の信号の受信も停止する（Ｓ００７）。また、制御部１９は、着信状態の停止と同時に、加速度センサー２による加速度の検知を終了し（Ｓ００８）、移動通信端末装置１０１の状態を待ち受け状態に戻す（Ｓ００１）。
【００２５】
振動または衝撃等が与えられずに、操作部１８からの応答があった場合は（Ｓ００９）、制御部１９は、通話状態への移行指示と判断し、スピーカー４からの着信音の出力またはバイブレーター５の振動を停止し（Ｓ０１０）、移動通信端末装置１０１の状態を通話状態へ移行する（Ｓ０１１）。また、制御部１９は、通話状態への移行と同時に、加速度センサー２による加速度の検知を終了する（Ｓ０１２）。
【００２６】
操作部２２から通話状態の終了指示があると、制御部１９は、通話状態を終了し（Ｓ０１３）、移動通信端末装置１０１の状態を待ち受け状態に戻す（Ｓ００１）。
【００２７】
以上のように、本実施の形態では、移動通信端末装置１０１は、表示側筐体部５１の外側にある表示側リアケース６に加速度センサー２を取り付け、閉じた状態で、表示側リアケース６が、操作側筐体部５２の外側となる操作側リアケース１０と一部が直接、接するように設けたので、外部ケースに加わった振動または衝撃等が効率よく、加速度センサーに伝わるので、加速度センサーから出力される検出信号による制御が容易となり、誤動作を低減できる。
【００２８】
また、着信時に、移動通信端末装置本体を探しだして取出し、所定のボタンを押して着信状態を停止させることなく、移動通信端末装置を叩く等により振動または衝撃等を与えるという操作を行うだけで着信状態を素早く、簡単に停止したり、移動通信端末装置本体に直接触れることなく、カバンやポケットの外からユーザーが叩く等のような操作で間接的に着信状態を停止することができ、加速度センサーによる操作性を向上できる。
【００２９】
なお、本実施の形態では、加速度センサー２は、表示側リアケース６の内壁面に取り付けた場合について説明したが、操作側リアケース１５の内壁面に取り付けても同様の効果が得られる。
【００３０】
また、本実施の形態では、加速度センサー２は、３軸方向に反応するタイプを用いたが、２軸または１軸方向に反応するタイプのものを用いてもよい。外部からの振動または衝撃等に対し、特定の方向に加速度が与えられる移動通信端末装置の形状、用途等を工夫することにより、同様の効果を得ることができる。
【００３１】
また、本実施の形態では、移動通信端末装置１０１は、折畳み式の筐体タイプの場合について説明したが、スライド式、リボルバー式等、二つの筐体部を連結して閉じられる筐体タイプの場合においても、同様の効果が得られることは言うまでもない。
【００３２】
また、本実施の形態では、加速度センサー２により、制御部１９が、無線部１８での無線信号の受信と、スピーカー４からの着信音の出力またはバイブレーター５の振動を制御する操作について説明したが、これに限るものではない。他の操作に用いても同様の効果を得ることができる。
【図面の簡単な説明】
【００３３】
【図１】本発明に係る移動通信端末装置の実施の形態の構成を示す斜視図である。
【図２】本発明に係る移動通信端末装置の実施の形態の構成を示す側断面図である。
【図３】本発明に係る移動通信端末装置の実施の形態の構成を示す背面図である。
【図４】本発明に係る移動通信端末装置の実施の形態の構成を示す断面図である。
【図５】従来の移動通信端末装置の構成を示す断面図である。
【図６】本発明に係る移動通信端末装置の実施の形態の構成を示すブロック図である。
【図７】本発明に係る移動通信端末装置の実施の形態の動作を示すフローチャート図である。
【符号の説明】
【００３４】
１  ヒンジ機構
２  加速度センサー
６  表示側リアケース
９  表示側フロントケース
１０  操作側リアケース
１１  操作側フロントケース
１９  制御部
５１  表示側筐体部
５２  操作側筐体部
１０１  移動通信端末装置
【図１】
2008124876.tif 000003
【図２】
2008124876.tif 000004
【図３】
2008124876.tif 000005
【図４】
2008124876.tif 000006
【図５】
2008124876.tif 000007
【図６】
2008124876.tif 000008
【図７】
2008124876.tif 000009